(57)【要約】【課題】さらに滑る恐れが低いものや滑りやすい形状や材質、円筒形のシリンジなど滑りやすい形状のものであっても把持部から滑り落ちてしまうことをより防止でき、形状、材質に限定されることをより少なくできる鉗子を提供する。【解決手段】鉗子１は、枢軸４を介して連結されその枢軸４回りに揺動自在な一対のアーム２、３を有し、枢軸４から一方側に延びるアーム２、３の先端にそれぞれの把持部５、６が設けられ、枢軸４から他方側に延びるアーム２、３の後端に把持部５、６を開閉操作するための握り部７、８が形成されている。この鉗子１は、前記把持部５、６を閉めた状態にすることによって被把持体が把持される空洞部２０が設けられている。【選択図】図１Ａ
2008194230.tif 000002
【特許請求の範囲】
【請求項１】
枢軸を介して連結されその枢軸回りに揺動自在な一対のアームを有し、上記枢軸から一方側に延びるアーム先端にそれぞれの把持部が設けられ、上記枢軸から他方側に延びるアーム後端に上記把持部を開閉操作するための握り部が形成されている鉗子において、
前記把持部を閉めた状態にすることによって被把持体が把持される空洞部が設けられる鉗子。
【請求項２】
請求項１に記載の鉗子であって、
前記空洞部は、被把持体が把持される把持面が屈曲した面形状である鉗子。
【請求項３】
請求項１または２に記載の鉗子であって、
前記空洞部は、複数箇所に設けられている鉗子。
【請求項４】
請求項３に記載の鉗子であって、
前記複数箇所に設けられた空洞部の大きさは異なる大きさとされている鉗子。
【請求項５】
請求項４に記載の鉗子であって、
前記空洞部は、アーム先端側の空洞部とこれよりも握り部側の空洞部を含み、
アーム先端側から握り部側への直線距離が把持部の最長幅を１０とした場合、
前記直線距離について、アーム先端側の空洞部の最長径は２〜４、握り部側の空洞部の最長径は３〜７である鉗子。
【請求項６】
請求項１から５のいずれか１つに記載の鉗子であって、
前記空洞部は、下端から上端への直線距離が把持部の最長幅を１０とした場合、前記空洞部の最長径は４〜６である鉗子。
【請求項７】
請求項１から６のいずれか１つに記載の鉗子であって、
前記鉗子は樹脂製である鉗子。
【発明の詳細な説明】
【技術分野】
【０００１】
本発明は、医療分野で用いられる鉗子、特に枢軸を介して連結されその枢軸回りに揺動自在な一対のアームを有し、上記枢軸から一方側に延びるアーム先端に把持部が設けられ、上記枢軸から他方側に延びるアーム後端に上記把持部を開閉操作するための握り部が形成されている鉗子に関する。
【背景技術】
【０００２】
医療分野で用いられる鉗子は主に生体組織の一時的な把持、消毒を行うため等の医療機器の把持などの目的に応じて各種形態のものが用いられている。このような鉗子としては、例えば下記特許文献１に記載の鉗子がある。
【０００３】
特許文献１に記載の鉗子は中央部が枢軸を介して連結されその枢軸回りに揺動自在な一対のアームを有し、枢軸から一方側に延びる前側アーム先端に把持部が設けられ、枢軸から他方側に延びる後側アーム後端に把持部を開閉操作するための握り部が形成されている樹脂製鉗子である。
【０００４】
この樹脂製鉗子の把持部について、被把持体が把持される把持面は対向面の形状がともに平面状である。
【０００５】
【特許文献１】特開２００６−２３０７６７号公報
【発明の開示】
【発明が解決しようとする課題】
【０００６】
しかしながら上記特許文献１などに記載される鉗子は、被把持体が把持される把持面はすべり止めとして機能する多数の細溝が形成されているものの、対向面の形状がともに平面状である。対向面の形状がともに平面状であると円筒形のシリンジなど滑りやすい形状、滑りやすい材質のものを被把持体として把持した場合、把持部から滑り落ちてしまう場合がある。したがって、被把持体としては、柔らかい綿球やガーゼ等の繊維製品、薄い形状の製品など滑る恐れが低いものに限定されてしまう場合がある。
【０００７】
実際の手術現場において使用される医療機器等は、まず手術に必要な医療機器等を取り揃え、間接介助者（不潔野に居て直接介助役の従事者へ医療機器等を渡すことを任務の一つとしている）から、直接介助者（前記間接介助役従事者から渡された医療機器等を術時に医師へ渡す、または渡すために手術台近傍のトレーに揃えておくことや使用済みの医療機器等を間接介助の従事者へ渡すことを任務としている）へ渡された後、手術台近傍もしくは手術台の上に跨るようにして設置されたトレー等に整理され、医師へ手渡された後、実際に使用される。
【０００８】
このとき、間接介助者は不潔野（手術室内ではあるが、手術台と一定の距離を置き、付着菌数等が多く、無菌的とはいえない領域）に居り、直接介助者は清潔野（手術台近傍の領域であって、手術に適した無菌的措置を施した領域）に居るのが通常であって、渡される医療機器は清潔に（無菌的に）渡されなければならない。
【０００９】
具体的には間接介助者と直接介助者の間には、不潔野と清潔野を区画するように医療機器の授受を行う台があって、該台は清潔野として機能させるために滅菌された不織布等で覆われ、該不織布等の上に直接医療機器等を直接介助者が受け取る、もしくは間接介助者の看護師が置いていくのである。
【００１０】
このとき医療機器等は無菌的に授受されなければならず、例えば間接介助者が医療機器等の包装を剥いて、中身（医療機器等）を鉗子等にて把持し、トレーに置いていくのだが、シリンジのような滑り易いものは把持できないものは、間接介助者がトレー上方の無菌的な領域にて包装を剥き（手を上に伸ばして包装を剥き）、医療機器等をトレーに落とす（これを一般的に『落とし込み』と称する）方法を選択している。
【００１１】
しかしながら前記方法ではトレー等から床に落として手術に使用できない、もしくは鋭利なものであれば該介助者が怪我をする恐れがあるなどの課題がある。
【００１２】
本発明は上記課題に鑑みてなされたものであり、さらに滑る恐れが低いものや滑りやすい形状や材質、円筒形のシリンジなど滑りやすい形状のものであっても把持部から滑り落ちてしまうことをより防止でき、形状、材質に限定されることをより少なくできる鉗子を提供することをその目的とする。
【課題を解決するための手段】
【００１３】
本発明は、枢軸を介して連結されその枢軸回りに揺動自在な一対のアームを有し、上記枢軸から一方側に延びるアーム先端に把持部が設けられ、上記枢軸から他方側に延びるアーム後端に上記把持部を開閉操作するための握り部が形成されている鉗子において、前記把持部を閉めた状態にすることによって被把持体が把持される空洞部が設けられることを特徴とする。
【００１４】
前記空洞部は、被把持体が把持される把持面が屈曲した面形状であると好適である。
【００１５】
前記空洞部は、複数箇所に設けられていると好適である。
【００１６】
前記複数箇所に設けられた空洞部の大きさは異なる大きさとされていると好適である。
【００１７】
前記空洞部は、アーム先端側の空洞部とこれよりも握り部側の空洞部を含み、アーム先端側から握り部側への直線距離が把持部の最長幅を１０とした場合、前記直線距離についてアーム先端側の空洞部の最長径は２〜４、握り部側の空洞部の最長径は３〜７であると好適である。
【００１８】
前記空洞部は、下端から上端への直線距離が把持部の最長幅を１０とした場合、前記空洞部の最長径は４〜６であると好適である。
【００１９】
前記鉗子は樹脂製であると好適である。
【発明の効果】
【００２０】
本発明によれば、さらに滑る恐れが低いものや滑りやすい形状や材質、円筒形のシリンジなど滑りやすい形状のものであっても把持部から滑り落ちてしまうことをより防止でき、形状、材質に限定されることをより少なくできる鉗子を提供できる。
【発明を実施するための最良の形態】
【００２１】
以下、図面に示した実施の形態に基づいて本発明を詳細に説明する。
【００２２】
図１〜図５は、本発明に係る鉗子の一実施形態を示したものである。図１は平面図、図２は図１の平面図においてＸ方向から見た上面図、図３は図１の平面図においてＹ方向から見た正面図、図４は斜視図を示し、いずれも鉗子が閉じた状態を示している。これに対し図５は、斜視図を示し、鉗子が開いた状態を示している。図１Ａ、図４Ａ、図５Ａはそれぞれ図１、図４、図５のＡで示される把持部の拡大図である。
【００２３】
図１において、樹脂製鉗子１は、いわばＸ字状に連結される一対のアーム２および３を有している。樹脂製鉗子１は、各アーム２および３の材質はポリアミド樹脂、ポリプロピレン樹脂、ポリカーボネート樹脂、ＡＢＳ樹脂、ポリエチレンテレフタレート樹脂、ポリエチレン樹脂等の公知の樹脂、または、樹脂へ強度UPのためにガラス繊維等を混入させた樹脂等から構成されている。
【００２４】
なお、本実施形態では樹脂製の鉗子を例示しているが金属製の鉗子であってもよい。本実施形態のように樹脂製の鉗子であればディスポーザブル、軽量化、安価など樹脂の利点を生かした鉗子を提供することができる。本実施形態に係る樹脂製鉗子は後述の凸部、先端部で示されるように把持時に全面接触より低面積の面接触であるので面積当たりの把持力が広い面積の全面接触よりも強く、把持力で優れた金属製鉗子の把持力に近づけることができるので従来金属製鉗子の把持力がないと把持が難しかった被把持体を樹脂製鉗子でより滑り落ちるなどの支障なく把持することができる。
【００２５】
一対のアーム２および３はそのいずれか一方から一体成形された枢軸４を介して互いに連結され枢軸４まわりに揺動することができるようになっている。枢軸４の構造は適宜選択して必要に応じて採用すればよく特に限られることがない。樹脂製鉗子１はこの揺動を利用して自在に開閉可能な構造となっている。なお樹脂製鉗子１の枢軸４は金属部であってもよく、このように樹脂製とは全体が樹脂製である必要はなく主要材料として樹脂が用いられていれば足り、樹脂以外の材料を用いることを妨げるものではない。
【００２６】
枢軸４から把持部５に延びる前側アーム部２ａ、および枢軸４から把持部６に延びる前側アーム部３ａはそれぞれ図２、図４、図５で示されるように湾曲している。前側アーム部２ａ，３ａは上記実施形態では先下がりに湾曲する形状に構成したが、これに限らず、例えば、先下がりに山形に折り曲がる形状であってもよく、また、先下がりにＬ字状に折り曲がる形状であってもよく、また、直線であってもよい。形状は適宜用途などに応じて変更される。
【００２７】
一方、アーム２および３の後端２ｂ、３ｂには、把持部５および６を開閉操作するための握り部７および８が部材をリング状とすることで形成した貫通孔を設けることで形成されている。特に限られることはないが、握り部７には中指若しくは薬指が通され、握り部８には親指が通されるようになっているのが通常である。
【００２８】
樹脂製鉗子１には、把持部５、６である特定の把持状態を維持する係止機構１０が備えられている。この係止機構１０は、後側アーム部２の後端部２ｂ、および後側アーム部３の後端部３ｂに対向する状態で備えられている。構造は適宜用途に応じて変更される。
【００２９】
係止機構１０は、握り部７および８が開閉操作される際の移動軌跡に沿って形成された係止部１０ａおよび係止部１０ｂからなり、係止部１０ａにはその下面側に鋸歯状のラチェット歯が形成され、係止部１０ｂにはその上面側に鋸歯状のラチェット歯が形成されている。係止部１０ａおよび係止部１０ｂは互いのラチェット歯同士を係止させることにより、把持部５、６の間隔を任意の距離に設定した状態で係止させることができる。係止機構１０は適宜用途に応じて変更され、用途に応じては必要ない場合もある。
【００３０】
枢軸４から前方に延びるアーム２の先端には把持部５が設けられ、同じく枢軸４から前方に延びるアーム３の先端には上記把持部５と対向する状態となり、把持部６が形成されている。
【００３１】
各把持部５，６は図２の上面図等で示されるように部材をリング状としてなる貫通孔が形成されており、その対向面には（先端部５ａおよび６ａなどには）それぞれすべり止めとして機能する多数の細溝が形成されている。なお、本実施形態では部材をリング状としてなる貫通孔が形成された把持部を示したがこれに限定されることはない。また多数の細溝についてもあると滑り落ちの防止の観点から好適であるがなくてもよい場合もある。
【００３２】
先端部５ａ、６ａは把持部後述の空洞部２０を把持面とともに構成し、先端部５ａと先端部６ａとは本実施形態では噛み合う構造となっている。この先端部５ａ、６ａが噛み合う構造により、特に空洞部２０ａで把持された被把持体が先端部５ａ、６ａが噛み合っていることによって先端部方向に滑り落ちることを防止されることになる。なお、本実施形態では先端部５ａ、６ａが噛み合うようにしているが先端部方向に滑り落ちることを防止されればよいのであるから、噛み合わなくとも突出しているだけで足りる場合も多い。この場合、先端部５ａと先端部６ａは互いに接触せず、空洞部２０も外部とその一部が連通する構造となる。
【００３３】
把持部５、６は閉じた状態で貫通した空洞部２０を形成する。本実施形態では、空洞部２０は把持部５、６からそれぞれの対向面へ突出した凸部５ｂ、６ｂで区別される貫通した空洞部２０ａ、２０ｂの複数の空洞部で構成されている。凸部５ｂ、６ｂは突出していれば足り、閉じた状態で凸部５ｂ、６ｂが接触しなくてもよい。したがって、本実施形態に係る空洞部２０ａ、２０ｂのように複数の空洞部はその一部が互いに連通していてもよい。
【００３４】
また、本実施形態のように複数の空洞部を設ける構造である場合には凸部５ｂ、６ｂなど１つの空洞部と他の空洞部を区画する区画構造を設ける必要があるが、単一の空洞部とする場合にはそのそのような区画構造を設けなくてもよい。本実施形態のように空洞部２０ａ、２０ｂの複数の空洞部が設けられ、空洞部２０ｂに被把持体が把持された場合には凸部５ｂ、６ｂによっても滑り落ちが防止されるように把持されることとなり、把持部の先端部５ａ、６ａによる部材の滑り落ち効果と相乗効果で滑り落ちが防止される。
【００３５】
空洞部２０ａ、２０ｂはその把持面２１ａ、２１ｂが屈曲した面形状となっており、本実施形態では空洞部２０ａ、２０ｂは略楕円筒形状の貫通孔の構造となっている。この構造により、略楕円筒形状、略円筒形状などのシリンジなどの形状的に滑りやすい被把持体を空洞部２０ａ、２０ｂで把持すると、凸部５ｂ、６ｂ、先端部５ａ、６ａによって滑り落ちが防止されるように把持されることとなり、好適である。略楕円筒形状、略円筒形状などの形状に限られず、三角柱形状、四角柱形状、六角柱形状の貫通孔の構造など略多角形断面の貫通孔の構造であってもよく、用いられる被把持体の形状や材質などに応じてその貫通孔の構造は適宜設計変更される。医療用具はシリンジなど略楕円筒形状、略円筒形状のものも多くこの点略楕円筒形状、略円筒形状の空洞部で把持したときに把持面とフィットさせるのが好適である場合が多い。なお、把持部の先端部５ａ、６ａはそのうちいずれか把持面が平面形状であって他の一方が空洞を形成する形状となっており、空洞部が半略楕円筒形状、半略円筒形状などの形状に限られず、半三角柱形状、半四角柱形状、半六角柱形状の半貫通孔の構造であってもよい。空洞部が半貫通孔の構造であっても把持部の先端部５ａ、６ａにおける両方の把持面が平面形状であって空洞部が存在しない従来の鉗子よりも被把持材の滑り落ちを防止できる。空洞部にはこのような半貫通孔の構造が含まれる。
【００３６】
本実施形態では把持部５、６で形成される空洞部（アーム先端側の空洞部２０ａとこれよりも握り部側の空洞部２０ｂとの大きさについて図１Ａに示されるようにアーム先端側から握り部側への直線距離が把持部の最長幅Ｌを１０とした場合、前記直線距離についてアーム先端側の空洞部の最長径ｌａが２〜４、握り部側の空洞部の最長径ｌｂは３〜７でとしている。また、さらに好適であることから本実施形態では把持部５、６で形成される空洞部２０は、図１Ａに示されるように下端から上端への直線距離が把持部の最長幅Ｈを１０とした場合、前記空洞部の最長径ｈは４〜６としている。
【００３７】
以上のように本実施形態では、複数設けられた空洞部の大きさを異ならせることにより、さまざまな径の大きさの被把持体であってもフィットする適切な大きさの空洞を選択することにより一つの鉗子で把持することできる。本実施形態に示されるサイズの空洞部の大きさとすると使用態様などに応じて好適であるが、空洞部の大きさは被把持体の大きさなどの必要に応じて設計変更・適宜選択することができる。
【００３８】
本実施形態に係る樹脂製鉗子１は空洞部２０ａ、２０ｂの上記把持面２１ａ、２１ｂ以外の凸部５ｂ、６ｂ、先端部５ａ、６ａなどでも勿論把持することができる。柔らかい綿球やガーゼ等の繊維製品、薄い形状の製品なども広い面積の全面接触より問題なく把持できる。これは把持時に主に凸部５ｂ、６ｂ、先端部５ａ、６ａでの狭い面積での全面接触より低面積の面接触による把持であるので面積当たりの把持力が広い面積の全面接触よりも強く、同じ力を加えても広い面積の全面接触より強く把持できるので、より滑り落ちるなどの支障なく把持することができることによる。
【００３９】
本実施形態係る鉗子によれば、さらに滑る恐れが低いものや滑りやすい形状や材質、円筒形のシリンジなど滑りやすい形状のものであっても把持部から滑り落ちてしまうことをより防止でき、形状、材質に限定されることをより少なくできる鉗子を提供できる。
【００４０】
すなわち、例えシリンジなどの滑り落ちやすい部材であっても、その形状に応じた空洞部の把持面にフィットさせることができ、少なくとも先端部５ａ、６ａ、空洞部２０ｂの場合には凸部５ｂ、６ｂによっても滑り落ちようとしてもせき止められる為、滑り落ちが防止される。また、従来の柔らかい綿球やガーゼ等の繊維製品、薄い形状の製品など滑る恐れが低いものなど従来の鉗子で把持してきた被把持体も狭い面積による全面接触より低面積の面接触によって強力に把持できるため、把持力が不足して落ちてしまうことをより防止することもできる。これにより、従来の被把持体に加え、その形状や材質で滑り落ちやすかった被把持体も加え多様製品の把持を１つの鉗子でできることになり、便利である。
【図面の簡単な説明】
【００４１】
【図１】本実施形態に係る鉗子の模式図である。
【図１Ａ】本実施形態に係る鉗子の部分拡大模式図である。
【図２】本実施形態に係る鉗子の模式図である。
【図３】本実施形態に係る鉗子の模式図である。
【図４】本実施形態に係る鉗子の模式図である。
【図４Ａ】本実施形態に係る鉗子の部分拡大模式図である。
【図５】本実施形態に係る鉗子の模式図である。
【図５Ａ】本実施形態に係る鉗子の部分拡大模式図である。
【符号の説明】
【００４２】
１  樹脂製鉗子
２  アーム
２ａ  前側アーム部
２ｂ  後側アーム部
３  アーム
３ａ  前側アーム部
３ｂ  後側アーム部
４  枢軸
５  把持部
５ａ  先端部
５ｂ  凸部
６  把持部
６ａ  先端部
６ｂ  凸部
７  握り部
８  握り部
１０  係止機構
１０ａ  係止部
１０ｂ  係止部
２０  空洞部
２０ａ  空洞部
２０ｂ  空洞部
２１ａ  把持面
２１ｂ  把持面
【図１】
2008194230.tif 000003
【図１Ａ】
2008194230.tif 000004
【図２】
2008194230.tif 000005
【図３】
2008194230.tif 000006
【図４】
2008194230.tif 000007
【図４Ａ】
2008194230.tif 000008
【図５】
2008194230.tif 000009
【図５Ａ】
2008194230.tif 000010